(57)【要約】【課題】プラスチックボトル容器の重量が、指に効果的に掛かり、プラスチックボトル容器が指にしっかりと乗ることで、持ち易さを向上させた把持部を備えるプラスチックボトル容器を提供する。【解決手段】プラスチックボトル容器１の胴面に、プラスチックボトル容器の内方に窪む把持部３を備え、当該把持部３の左右には、親指と人差し指の間の股部を密着させることができるように幅が広がるくびれ部分４を備えることを特徴とするプラスチックボトル容器。【選択図】      図２
2007168811.tif 000002
【特許請求の範囲】
【請求項１】
プラスチックボトル容器の胴面に、プラスチックボトル容器の内方に窪む把持部を備えるプラスチックボトル容器において、前記把持部の左右には、親指と人差し指の間の股部を密着させることができるように幅が広がるくびれ部分を備えることを特徴とするプラスチックボトル容器。
【請求項２】
前記把持部は、水平な天辺と天辺の左右端部に続く円弧状曲線で囲まれた底面と、この底面の天辺に連接された台形の平らな、底面に対して傾斜したひさしと、ひさしの左右辺と底面の円弧状曲線に連接された、底面に対して傾斜した、曲面状斜面部とからなることを特徴とする請求項１に記載のプラスチックボトル容器。
【請求項３】
ひさしは、プラスチックボトル容器の胴部表面よりも内方に引っ込んだ凹平面を介してプラスチックボトル容器の胴部表面に連接されていることを特徴とする請求項２に記載のプラスチックボトル容器。
【請求項４】
凹平面は円弧状周縁を有し、この円弧状周縁を介してプラスチックボトル容器の胴部表面に連接されていることを特徴とする請求項３に記載のプラスチックボトル容器。
【請求項５】
胴部に断面コ形のリブが設けられていることを特徴とする請求項１乃至４の何れか一項に記載のプラスチックボトル容器。
【発明の詳細な説明】
【技術分野】
【０００１】
本発明は、プラスチックボトル容器に関し、胴部にプラスチックボトル容器を把持するための把持部を備える、特に容量の大きなプラスチックボトル容器に関する。
【背景技術】
【０００２】
プラスチックボトル容器は、炭酸飲料、果汁飲料、ミネラルウォーター、ウーロン茶、日本茶等の飲料容器として大量に使用されている。また、例えば２リットル程度の大容量のプラスチックボトル容器も使用されている。
このような大容量のプラスチックボトル容器に液体を充填した場合、液体の重さにより、プラスチックボトル容器はかなり重くなる。そのため、プラスチックボトル容器を持ち上げる際には、相当強い力でプラスチックボトル容器の胴部を把持する必要がある。また、胴部を把持する力が強くなると、容器の変形が生じたり、プラスチックボトル容器の胴部を把持した手とプラスチックボトル容器の胴部の間で滑りが生じることがあるため、プラスチックボトル容器を持ち上げにくいことがあった。また、プラスチックボトル容器の胴囲が大きいため、片手でのプラスチックボトル容器の胴部の把持が困難になるという問題があった。
この問題を解決するために、図１に示すように、プラスチックボトル容器の胴部に、複数の斜面７１，７２，７３によって容器内方へ窪む把持部７を設けたプラスチックボトル容器において、前記斜面の一つに、外方に膨らむ凸部７５又は内方に窪む凹部７６を形成したプラスチックボトル容器が提案されている（例えば特許文献１参照）
【特許文献１】特開２００４−２５００６３号公報
【発明の開示】
【発明が解決しようとする課題】
【０００３】
しかしながら、このプラスチックボトル容器は中央の把持部底面７４が細長いために親指とのフィット感が少なく、そのため持ち易さの点で欠けるものであった。
本発明が解決しようとする課題は、プラスチックボトル容器の重量が指に効果的に掛かり、プラスチックボトル容器が指にしっかりと乗ることで持ち易さを向上させた把持部を備えるプラスチックボトル容器を提供するものである。
【課題を解決するための手段】
【０００４】
請求項１に記載の発明は、上記した課題を解決するもので、プラスチックボトル容器の胴面に、プラスチックボトル容器の内方に窪む把持部を備えるプラスチックボトル容器において、前記把持部の左右には、親指と人差し指の間の股部を密着させることができるように幅が広がるくびれ部分を備えることを特徴とするプラスチックボトル容器を要旨とする。
【０００５】
従来のプラスチックボトル容器においては、胴部のくびれ部分は親指の横幅程度の小幅に形成されており、親指の指先を小幅のくびれ部分に密着させて、指先の力で主にプラスチックボトルのボトル重量を支えていた。此れに対し、本発明のプラスチックボトル容器は、把持部の左右には、親指と人差し指の間の股部を密着させることができるように幅が広がるくびれ部分を備えるので、指を把持部に密着させることができるのみならず、くびれ部分に親指と人差し指の間の股部をくびれ部分に載せてプラスチックボトル容器をしっかり保持することができる。即ち、高さ方向の幅広いくびれ部分により、掌全体でプラスチックボトル容器を把持することが出来る。
【０００６】
本発明において、把持部として、好ましくは、水平な天辺と天辺の左右端部に続く円弧状曲線で囲まれた底面と、この底面の天辺に連接された台形の平らな、底面に対して傾斜したひさしと、ひさしの左右辺と底面の円弧状曲線に連接された、底面に対して傾斜した、曲面状斜面部とからなる把持部を適用することができる。この把持部においては、円形の曲面状斜面部により、プラスチックボトル容器の保持角度の如何によらずに指掛かりがよくなって、無理なくプラスチックボトル容器を把持することができる。
【０００７】
本発明において、把持部のひさしは、好ましくは、プラスチックボトル容器の胴部表面よりも内方に引っ込んだ凹平面を介してプラスチックボトル容器の胴部表面に連接されている。ひさしが凹平面を介してプラスチックボトル容器の胴部表面に連接されていることにより、把持部の底部を指で押すことにより、ひさしがプラスチックボトル容器の内方へ引っ張られることによるプラスチックボトル容器の胴部表面の変形を防止することができる。
【０００８】
本発明において、凹平面は、好ましくは、円弧状周縁を有し、この円弧状周縁を介してプラスチックボトル容器の胴部表面に連接されている。この場合、円弧状周縁によって、プラスチックボトル容器の胴部表面の変形防止効果は更に高められる。
【０００９】
本発明において、胴部は角形に形成され、角部に沿って断面コ形のリブを設けてもよい。このリブによってプラスチックボトル容器の座屈強度が高められ、プラスチックボトル容器の座屈変形が防止される。
【発明の効果】
【００１０】
本発明のプラスチックボトル容器は、プラスチックボトル容器の胴面に、プラスチックボトル容器の内方に窪む把持部を備えるプラスチックボトル容器において、前記把持部の左右には、親指と人差し指の間の股部を密着させることができるように幅が広がるくびれ部分を備えるので、指を把持部に密着させることができるのみならず、くびれ部分に親指と人差し指の間の股部をくびれ部分に載せてプラスチックボトル容器をしっかり保持することができる。即ち、高さ方向の幅広いくびれ部分により、掌全体でプラスチックボトル容器を把持することが出来る。
又、把持部として、水平な天辺と天辺の左右端部に続く円弧状曲線で囲まれた底面と、この底面の天辺に連接された台形の平らな、底面に対して傾斜したひさしと、ひさしの左右辺と底面の円弧状曲線に連接された、底面に対して傾斜した、斜面部とからなる円形の斜面部を備える把持部を適用することにより、プラスチックボトル容器の保持角度の如何によらずに指掛かりがよくなって、無理なくプラスチックボトル容器を把持することができる。
【発明を実施するための最良の形態】
【００１１】
次に図面を用いて本発明を実施するための最良の形態について説明する。
【００１２】
図２乃至図４は本発明のプラスチックボトル容器の第１の実施の形態を示す。図２は本発明のプラスチックボトル容器の第１の実施の形態の正面図である。図３は本発明のプラスチックボトル容器の第１の実施の形態の側面図である。図４は図１に示すＡ−Ａ線に沿って切断して示す断面図である。
【００１３】
本発明のプラスチックボトル容器１の第１の実施の形態は、図２乃至図４に示すように、プラスチックボトル容器１の胴面２に、プラスチックボトル容器１の内方に窪む把持部３を備えるプラスチックボトル容器１において、把持部３の左右には、親指と人差し指の間の股部を密着させることができるように最小幅４ａから幅が広がり、プラスチックボトル容器１の側部中央において最大幅となるくびれ部分４を備えるものである。
【００１４】
把持部３は、図２に示すように、水平な天辺と天辺の左右端部に続く円弧状曲線で囲まれた底面５と、この底面５の天辺に連接された台形の平らな、底面に対して傾斜したひさし６と、ひさし６の左右辺と底面５の円弧状曲線に連接された、底面５に対して傾斜した、曲面状斜面部７とからなる。
【００１５】
把持部３は、プラスチックボトル容器の保持角度の如何によらずに指掛かりがよくなって、無理なくプラスチックボトル容器を把持することができるという利点を有する。
【００１６】
本発明において、把持部３のひさし６は、プラスチックボトル容器１の胴部２の表面よりも内方に引っ込んだ凹平面８を介してプラスチックボトル容器１の胴部２の表面に連接されている。
【００１７】
ひさし６が凹平面８を介してプラスチックボトル容器１の胴部２の表面に連接されていることにより、把持部３の底部５を指で押すことにより、ひさし６がプラスチックボトル容器１の内方へ引っ張られることによるプラスチックボトル容器１の胴部２の表面の変形を防止することができる。
【００１８】
凹平面８は、好ましくは、円弧状周縁８ａを有し、この円弧状周縁８ａを介してプラスチックボトル容器１の胴部２の表面に連接されている。この場合、円弧状周縁８ａによって、プラスチックボトル容器１の胴部２表面の変形防止効果は更に高められる。
【００１９】
図５乃至図８は本発明のプラスチックボトル容器の第２の実施の形態を示す。図５は本発明のプラスチックボトル容器の第２の実施の形態の正面図である。図６は本発明のプラスチックボトル容器の第２の実施の形態の側面図である。図７は図５に示すＡ−Ａ線に沿って切断して示す断面図である。図８は図５に示すＢ−Ｂ線に沿って切断した断面図である。
【００２０】
本発明のプラスチックボトル容器１の第２の実施の形態は、図５乃至図８に示すように、胴部２は角形に形成され、胴部２の角部に沿って断面コ形のリブ９を設けられている。尚、図において、１０はリブ９で囲まれた胴部の領域を示す。
【００２１】
リブ９によってプラスチックボトル容器の座屈強度が高められ、プラスチックボトル容器の座屈変形が防止される。
【００２２】
本発明のプラスチックボトル容器１の第２の実施の形態において、図２乃至図４に示す第１の実施の形態と同様に、プラスチックボトル容器１の胴面２に、プラスチックボトル容器１の内方に窪む把持部３を備えるプラスチックボトル容器１において、把持部３の左右には、親指と人差し指の間の股部を密着させることができるように最小幅４ａから幅が広がり、プラスチックボトル容器１の側部中央において最大幅となるくびれ部分４を備える。
【００２３】
また、図２乃至図４に示す第１の実施の形態と同様に、本発明のプラスチックボトル容器１の第２の実施の形態は、水平な天辺と天辺の左右端部に続く円弧状曲線で囲まれた底面５と、この底面５の天辺に連接された台形の平らな、底面５に対して傾斜したひさし６と、ひさし６の左右辺と底面の円弧状曲線に連接された、底面５に対して傾斜した、曲面状斜面部７とからなる把持部３を備える。
【００２４】
この第２の実施の形態は、第１の実施の形態１と同様に、段落１３乃至段落１８に記載したような作用を奏する。
【００２５】
本発明においては把持部３の構成は図１、図５に示すような把持部３に限定されることなく、違う構成の把持部を適用することもできる。
【００２６】
本発明のプラスチックボトル容器１は、通常のプラスチックボトル容器の成形法により成形することができる。例えば、プリフォームを延伸ブロー成形することにより得ることができる。
【００２７】
本発明において、プラスチックボトル容器を形成する材料としては、例えばポリエチレンテレフタレート、ポリブチレンテレフタレート、ポリエチレンナフタレート、ポリカーボネート、ポリアリレート、又はこれらの共重合体等の熱可塑性ポリエステル、これらの樹脂或いは他の樹脂とのブレンド物が好適であり、特にポリエチレンテレフタレート等のエチレンテレフタレート系ポリエステルがを好適に使用することができる。また、アクリロニトリル樹脂、ポリプロピレン、プロピレン−エチレン共重合体、ポリエチレン等も使用することができる。
【００２８】
本発明は、上記の第１乃至第２の実施の形態に限定されるものではなく、胴部に多数の横方向のリブを備えるプラスチックボトル容器にも適用することができる。
【産業上の利用可能性】
【００２９】
本発明は、胴部にボトル容器を把持するための把持部を備える、特に容量の大きい、例えば２ｌ程度の、炭酸飲料、果汁飲料、ミネラルウォーター、ウーロン茶、日本茶等の飲料容器に利用することができる。
【図面の簡単な説明】
【００３０】
【図１】特許文献１に記載の把持部を正面図である。
【図２】本発明のプラスチックボトル容器の第１の実施の形態の正面図である。
【図３】本発明のプラスチックボトル容器の第１の実施の形態の側面図である。
【図４】図１に示すＡ−Ａ線に沿って切断して示す断面図である。
【図５】本発明のプラスチックボトル容器の第２の実施の形態の正面図である。
【図６】本発明のプラスチックボトル容器の第２の実施の形態の側面図である。
【図７】図５に示すＡ−Ａ線に沿って切断して示す断面図である。
【図８】図５に示すＢ−Ｂ線に沿って切断して示す断面図である。
【符号の説明】
【００３１】
１    プラスチックボトル容器
２    胴面
３    把持部
４    くびれ部分
４ａ  くびれ部分の最小幅
４ｂ  くびれ部分の最大幅
５    底面
６    ひさし
７    曲面状斜面部
８    凹平面
８ａ  円弧状周縁
９    断面コ型のリブ
１０  リブ９で囲まれた胴部領域
【図１】
2007168811.tif 000003
【図２】
2007168811.tif 000004
【図３】
2007168811.tif 000005
【図４】
2007168811.tif 000006
【図５】
2007168811.tif 000007
【図６】
2007168811.tif 000008
【図７】
2007168811.tif 000009
【図８】
2007168811.tif 000010